(57)【要約】【課題】複写元記憶装置から複写先記憶装置へデータをコピーする際に、接続の間違いによって、誤って複写元記憶装置にデータを書き込んでしまうトラブルを抑制する。 【解決手段】複写先記憶装置ＴＨＤＤ１〜３であることを示すマークデータを予め複写先記憶装置ＴＨＤＤ１〜３に記録しておく。複写装置が複写元記憶装置ＭＨＤＤから複写先記憶装置ＴＨＤＤ１〜３へコピーを開始する前に、接続されている記憶装置に対してマークデータの記録位置のデータを読み出し、読み出したデータと、予め記憶しているマークデータとを照合する。複写先記憶装置が接続されるべき第２インターフェース２２１〜３に接続されている記憶装置に、マークデータが記録されており、複写元記憶装置が接続されるべき第１インターフェース２１に接続されている記憶装置に、マークデータが記録されていない場合に、コピー処理を許可し、その他の場合にはコピー処理を禁止する。【選択図】図１
2014160425.tif 000002
【特許請求の範囲】
【請求項１】
複写元記憶手段に接続される第１インターフェースと、
複写先記憶手段に接続される第２インターフェースと、
第１インターフェースに接続された複写元記憶手段から読み取ったデータを第２インターフェースに書き込むことにより、複写元記憶手段から複写先記憶手段へのデータコピーを行うコピー制御手段とを備えた複写装置であって、
コピー処理を開始する前に、第２インターフェースに接続されている複写先記憶手段の予め定められた位置に記録されているマークデータを読み取るマーク読取手段と、
マーク読取手段によって読み取ったマークデータが、予め定められた特定データであるか否か判断するマーク判定手段と、
読み取ったマークデータが特定データであると判断した場合にのみコピー処理の開始を許可するコピー処理許可手段とを有することを特徴とする複写装置。
【請求項２】
複写元記憶手段に接続される第１インターフェースと、
複写先記憶手段に接続される第２インターフェースと、
第１インターフェースに接続された複写元記憶手段から読み取ったデータを第２インターフェースに書き込むことにより、複写元記憶手段から複写先記憶手段へのデータコピーを行うコピー制御手段とを備えた複写装置であって、
複写元記憶手段を特定する固有識別情報が予め記憶されている複写元識別情報記憶手段と、
コピー処理を開始する前に、第１インターフェースに接続されている記憶手段の固有識別情報を取得する識別情報取得手段と、
識別情報取得手段によって取得された固有識別情報が、複写元識別情報記憶手段に記憶されている固有識別情報に合致するか否かを判断する複写元識別情報判定手段と、
複写元識別情報判定手段が合致すると判断した場合のみコピー処理の開始を許可するコピー処理許可手段とを有することを特徴とする複写装置。
【請求項３】
複写元記憶手段に接続される第１インターフェースと、
複写先記憶手段に接続される第２インターフェースと、
第１インターフェースに接続された複写元記憶手段から読み取ったデータを第２インターフェースに書き込むことにより、複写元記憶手段から複写先記憶手段へのデータコピーを行うコピー制御手段とを備えた複写装置であって、
複写先記憶手段を特定する固有識別情報が予め記憶されている複写先識別情報記憶手段と、
コピー処理を開始する前に、第２インターフェースに接続されている記憶手段の固有識別情報を取得する識別情報取得手段と、
識別情報取得手段によって取得された固有識別情報が複写先識別情報記憶手段に記憶されている固有識別情報に合致するか否かを判断する複写先識別情報判定手段と、
複写先識別情報判定手段が合致すると判断した場合のみコピー処理の開始を許可するコピー処理許可手段とを有することを特徴とする複写装置。
【発明の詳細な説明】
【技術分野】
【０００１】
この発明は、複写元の記憶装置に記憶されているデータを他の複写先の記憶装置に複写する複写装置にかかり、詳しくは複写先記憶装置と複写元記憶装置の取り違いによるマスターデータの消失を防止する複写装置に関するものである。
【背景の技術】
【０００２】
従来、ハードディクスドライブ装置に記録されているデータを他のハードディスクドライブ装置に複写する複写装置が使用されている。このような複写装置は、例えば、ディスクトップパソコン用のオペレーティングシステムが記録されたハードディスクドライブ装置を用意し、これを複数のハードディスクドライブ装置に複写することで、一時に多数のパソコン搭載用のハードディスクドライブ装置を作成する、といった用途に使われ、或いは、証拠物件として押収されたディスクトップパソコンのハードディスクドライブ装置を解析するために、押収物のハードディスクドライブ装置のデータを、解析用のハードディスクドライブ装置にコピーする場合などに用いられる。
【先行技術文献】
【特許文献】
【０００３】
【特許文献１】特開２００８−１０８４１０
【発明の概要】
【発明が解決しようとする課題】
【０００４】
しかし、ハードディスクドライブ装置のデータをコピーする場合、複写元のハードディスクドライブ装置の記憶容量と同程度の記憶容量を有するハードディスクドライブ装置にデータをコピーする場合が多く、外見のみでは複写元ハードディスクドライブ装置と、複写先ハードディスクドライブ装置とを見分けられない場合がある。このような場合、誤って複写先ハードディスクドライブ装置を複写元ハードディスクドライブ装置の接続端子に接続し、複写元ハードディスクドライブ装置を複写先ハードディスクドライブ装置の接続端子に接続してコピー処理してしまい、複写元ハードディスクドライブ装置のデータを消失させてしまう、といったトラブルが発生し得る。
【０００５】
このようなトラブルは、複写装置の接続端子の色を、複写元を接続する端子と、複写先を接続する端子とで異なるものとするなどの工夫により、低減されてはいるが、接続作業に人が介在するために、根本的な解決には至っていない。  
特に、証拠物件として押収されたハードディスクドライブ装置に記録されているデータを解析するためには、証拠物件であるハードディスクドライブ装置自体の記録内容を直接解析することなく、一旦、押収されたハードディスクドライブ装置のデータを、他のハードディスクドライブ装置にコピーし、その複写したデータについて解析を行う。このような解析作業で行われるコピーは、誤コピーによって複写元ハードディスクドライブ装置のデータが消失すると、証拠物件の価値が失われるため、多大の損害を被ることとなる。
【０００６】
この発明は、複写元記憶装置から複写先記憶装置へデータをコピーする際に、接続の間違いによって、誤って複写元記憶装置にデータを書き込んでしまうトラブルを抑制する複写装置を提供する。
【課題を解決するための手段】
【０００７】
このような目的は、以下の本発明により達成される。  
（１）複写元記憶手段に接続される第１インターフェースと、
複写先記憶手段に接続される第２インターフェースと、
第１インターフェースに接続された複写元記憶手段から読み取ったデータを第２インターフェースに書き込むことにより、複写元記憶手段から複写先記憶手段へのデータコピーを行うコピー制御手段とを備えた複写装置であって、
コピー処理を開始する前に、第２インターフェースに接続されている複写先記憶手段の予め定められた位置に記録されているマークデータを読み取るマーク読取手段と、
マーク読取手段によって読み取ったマークデータが、予め定められた特定データであるか否か判断するマーク判定手段と、
読み取ったマークデータが特定データであると判断した場合にのみコピー処理の開始を許可するコピー処理許可手段とを有することを特徴とする複写装置。
【０００８】
（２）複写元記憶手段に接続される第１インターフェースと、
複写先記憶手段に接続される第２インターフェースと、
第１インターフェースに接続された複写元記憶手段から読み取ったデータを第２インターフェースに書き込むことにより、複写元記憶手段から複写先記憶手段へのデータコピーを行うコピー制御手段とを備えた複写装置であって、
複写元記憶手段を特定する固有識別情報が予め記憶されている複写元識別情報記憶手段と、
コピー処理を開始する前に、第１インターフェースに接続されている記憶手段の固有識別情報を取得する識別情報取得手段と、
識別情報取得手段によって取得された固有識別情報が、複写元識別情報記憶手段に記憶されている固有識別情報に合致するか否かを判断する複写元識別情報判定手段と、
複写元識別情報判定手段が合致すると判断した場合のみコピー処理の開始を許可するコピー処理許可手段とを有することを特徴とする複写装置。
【０００９】
（３）複写元記憶手段に接続される第１インターフェースと、
複写先記憶手段に接続される第２インターフェースと、
第１インターフェースに接続された複写元記憶手段から読み取ったデータを第２インターフェースに書き込むことにより、複写元記憶手段から複写先記憶手段へのデータコピーを行うコピー制御手段とを備えた複写装置であって、
複写先記憶手段を特定する固有識別情報が予め記憶されている複写先識別情報記憶手段と、
コピー処理を開始する前に、第２インターフェースに接続されている記憶手段の固有識別情報を取得する識別情報取得手段と、
識別情報取得手段によって取得された固有識別情報が複写先識別情報記憶手段に記憶されている固有識別情報に合致するか否かを判断する複写先識別情報判定手段と、
複写先識別情報判定手段が合致すると判断した場合のみコピー処理の開始を許可するコピー処理許可手段とを有することを特徴とする複写装置。
【発明の効果】
【００１０】
請求項１に記載の本発明によれば、コピー処理を開始する前に、複写先記憶手段に予め記録されているマークデータを確認するので、マークデータが記録されていない記憶手段にはデータの書込みは行われない。従って、第２インターフェースに複写元記憶手段が誤って接続された場合には、複写元記憶手段にはマークデータが記録されていないので、コピー処理は開始されず、複写元記憶手段に記録されているデータは保護される。
【００１１】
請求項２に記載の本発明によれば、複写元記憶手段が有する固有の識別情報を確認し、第１インターフェースに接続されている記憶手段の固有識別情報が、予め登録された複写元記憶手段の固有識別情報と合致した場合に、コピー処理が許可されるので、誤って複写元記憶手段以外の記憶手段が第１インターフェースに接続されてコピー処理が開始されるといったトラブルが防止される。
【００１２】
請求項３に記載の本発明によれば、複写先記憶手段が有する固有の識別情報を確認し、第２インターフェースに接続されている記憶手段の固有識別情報が、予め登録された複写先記憶手段の固有識別情報と合致した場合に、コピー処理が許可されるので、誤って複写先記憶手段以外の記憶手段が第２インターフェースに接続されてコピー処理が開始されるといったトラブルが防止される。
【図面の簡単な説明】
【００１３】
【図１】本発明の複写装置の構成を示すブロック図である。
【図２】本発明の第１実施形態の装置における処理動作を示すフローチャートである。
【図３】本発明の本発明の第１実施形態の装置における禁止条件を示す表である。
【図４】本発明の第２実施形態の装置における処理動作を示すフローチャートである。
【図５】本発明の本発明の第２実施形態の装置における禁止条件を示す表である。
【発明を実施するための形態】
【００１４】
以下、本発明の好適実施形態について詳細に説明する。図１は、本発明の複写装置１の構成を示すブロック図である。本発明の複写装置１は、複写装置１は、複写元記憶手段としてのマスターハードディスクドライブ装置MHDDが接続される第１インターフェース２１と、複写先記憶手段としてのターゲットハードディスクドライブ装置THDD１〜３が接続される第２インターフェース２２１〜２２３と、コピー処理やハードディスクドライブ装置の識別情報を確認する制御手段としてのコントローラ３と、識別情報を記憶している識別情報メモリM１と、コピー処理の際に読み取ったデータを一時的に格納するメモリM２と、第１インターフェース２１、第２インターフェース２２１〜２２３、コントローラ３、識別情報メモリM１及びメモリM２は、それぞれ相互にバスライン３１で接続されている。識別情報メモリM１は、第３インターフェース２３を介して着脱自在に接続されており、他の書込み装置によって、ハードディスクドライブ装置の固有識別情報が予め記録されている。
【００１５】
コントローラ３は、例えば、ＰＬＤ（Programmable Logic Device）等の論理回路及びメモリ等を備え、マスターハードディスクドライブ装置MHDDに記録されているデータをターゲットハードディスクドライブ装置THDD１〜３にコピーするコピー処理や、接続されている各ハードディスクドライブ装置の固有識別情報を取得し、予め識別情報メモリＭ１に記憶されている情報との照合、などの処理を実行する。
【００１６】
メモリＭ１、Ｍ２は、データの書込みや読み出しの速度の速いフラッシュメモリであることが好ましく、特にメモリＭ１は、外部接続可能で、着脱操作が容易にできるものであることが好ましい。メモリＭ１は上記の他、ＬＡＮ接続されたメモリであっても良く、コントローラ３に内蔵されたメモリであってもよい。
【００１７】
次に、本発明の第１の実施形態の複写装置の動作について説明する。この実施形態の複写装置においては、ターゲットハードディスクドライブ装置THDDとして使用されるハードディスクドライブ装置に予めマークデータが記録されている。このマークデータは、予め決められた内容のデータであって、ハードディスクドライブ装置の予め決められた位置に記録される。マークデータは、どのような内容でデータでも良いが、ターゲットとして選ばれたハードディスクドライブ装置と、そうでないハードディスクドライブ装置とを区別するために、所定のアルゴリズムや法則に基づいて決められ内容のデータであることが好ましい。  
マークデータのハードディスクドライブ装置への書込みは、他の書込み装置によって行なわれ、ターゲットハードディスクドライブ装置として選ばれたハードディスクドライブ装置のみを集めた所で、書込み処理が実行される。
【００１８】
以上のように用意されたハードディスクドライブ装置に対して、マスターハードディスクドライブ装置ＭＨＤＤのデータをコピーする動作について、図２に示されているフローチャートに基づいて説明する。  
マスターハードディスクドライブ装置ＭＨＤＤ、ターゲットハードディスクドライブ装置ＴＨＤＤ１〜３及びメモリＭ１がそれぞれインターフェース２１、２２１〜２２３、２３に接続されていることを確認する（ステップＳ１０１）。
【００１９】
次に、メモリＭ１からマークデータと、マークデータが記録さているアドレスに関するデータを読み出し（ステップＳ１０２）、さらに、各第２インターフェース２２１〜２２３に接続されているハードディスクドライブ装置、及び第１インターフェース２１に接続されているハードディスクドライブ装置に対して、ステップＳ１０２で読み出したアドレスデータに基づいて、該アドレスに記録されているデータを読み出す（ステップＳ１０３）。
【００２０】
次にステップＳ１０２で取得したマークデータと、ステップＳ１０３で取得した各読取りデータとを照合する（ステップＳ１０５）。図３に示されているのは、コピー許可条件を示す表である。第１のインターフェース２１に接続されたハードディスクドライブ装置から読み取った読取データが、ステップＳ１０２で取得したマークデータと合致した場合には、マスターハードディスクドライブ装置ＭＨＤＤが接続されるべき第１のインターフェース２１に、ターゲットハードディスクドライブ装置ＴＨＤＤが接続されていることを意味し、誤った接続であることが判明するので、第２インターフェース２２１〜２２３に接続されているハードディスクドライブ装置の如何にかかわらず、コピー処理は許可せず、エラー表示を行う（ステップＳ１０７）。エラー表示には、第１のインターフェース２１にマスターハードディスクドライブ装置ＭＨＤＤが接続されていない旨、及びコピー処理は行われない旨の内容が表示される。
【００２１】
また、第２インターフェース２２１〜２２３に接続されているハードディスクドライブ装置から読み取った各読取データと、ステップＳ１０２で取得したマークデータとを照合し、接続されているハードディスドライブ装置の１つ以上で、データが合致しない場合には、少なくとも１つのハードディスクドライブ装置がターゲットハードディスクドライブ装置でないことが判明するので、コピー処理は許可せず、エラー表示を行う（ステップＳ１０７）。なお、エラー表示では、マークデータが合致しなかったハードディスクドライブ装置が接続されているインターフェースの番号を表示する。
【００２２】
第１のインターフェース２１に接続されたハードディスクドライブ装置にマークデータが記録されておらず、第２インターフェース２２１〜２２３に接続されているハードディスクドライブ装置の総てにマークデータが記録されている場合には、コピー処理を許可する（ステップＳ１０５、Ｓ１０９）。
【００２３】
コピー処理が開始され（ステップＳ１１１）、コピー終了を確認して（ステップＳ１１３）、処理が終了する。
【００２４】
次に、本発明の第２の実施形態の複写装置の動作について説明する。この実施形態の複写装置においては、マスターハードディスクドライブ装置ＭＨＤＤ及びターゲットハードディスクドライブ装置ＴＨＤＤの固有識別情報が予め取得されている。この固有識別情報は、各ハードディスクドライブ装置が有する固有の情報であって、その使用者が変更できない情報である。例えば、ハードディスクドライブ装置の「モデル名にシリアル番号を加えた情報」、ＷＷＮ（World Wide Name）などが挙げられる。このようなデータは、ハードディスクドライブ装置にコマンドを発行することにより、引き出すことができる。この固有識別情報は、メモリＭ１に記録され、或いは本発明の複写装置にＬＡＮケーブル等の通信手段で接続されている他の装置に記録されている。
【００２５】
ハードディスクドライブ装置からの固有識別情報の読み出しは、他の本発明の複写装置とは別の読み出し装置によって行なわれ、ターゲットハードディスクドライブ装置として選ばれたハードディスクドライブ装置のみを集めた所と、マスターハードディスクドライブ装置とされたハードディスクドライブ装置のみを集めた所とを別に設け、それぞれの場所で、固有識別情報の読み出しが実行され、記憶される。メモリＭ１には、マスターハードディスクドライブ装置の固有識別情報として記憶された情報と、ターゲットハードディスクドライブ装置の固有識別情報として記憶された情報とが、それぞれ記録されている。
【００２６】
以上のように各固有識別情報を読み出して記憶済みのハードディスクドライブ装置を用い、第１のインターフェース２１にはマスターハードディスクドライブ装置ＭＨＤＤを、第２のインターフェース２２１〜２２３にはターゲットハードディスクドライブ装置ＴＨＤＤ１〜３を、それぞれ接続し、データのコピー処理を行う。以下、データのコピー処理動作について、図４に示されているフローチャート及び図５に示されている表に基づいて説明する。
【００２７】
マスターハードディスクドライブ装置ＭＨＤＤ、ターゲットハードディスクドライブ装置ＴＨＤＤ１〜３及びメモリＭ１がそれぞれインターフェース２１、２２１〜２２３、２３に接続されていることを確認する（ステップＳ２０１）。次に、接続されている各ハードディスクドライブ装置にコマンドを発行し、各ハードディスクドライブ装置の固有識別情報を取得する（ステップＳ２０３）。取得された固有識別情報に基づいて、メモリＭ１に記録されているデータと照合する（ステップＳ２０５）。
【００２８】
その結果、第２のインターフェース２２１〜２２３に接続されているハードディスクドライブ装置から取得した固有識別情報が、メモリＭ１にターゲットハードディスクドライブ装置の固有識別情報として記録されているか判断する（ステップＳ２０７）。複数のハードディスクドライブ装置の内、１つ以上のハードディスクドライブ装置から取得した固有識別情報が、メモリＭ１に未登録の情報である場合には、第２のインターフェース２２１〜２２３にターゲットハードディスクドライブ装置でないハードディスクドライブ装置が接続されていることを意味するので、この状態でコピーを実行すると、ターゲットハードディスクドライブ装置でないハードディスクドライブ装置のデータが失われるため、エラー表示し（ステップＳ２０９）、コピー処理は実行されない。  
また、エラー表示の際には、ターゲットハードディスクドライブ装置として登録されていないハードディスクドライブ装置が接続されているインターフェース２２１の番号（Ｎｏ１〜Ｎｏ３）を表示する。
【００２９】
第２のインターフェース２２１〜２２３に接続されているハードディスクドライブ装置の各固有識別情報が、メモリＭ１にターゲットハードディスクドライブ装置の固有識別情報として登録されている場合には、第１のインターフェース２１に接続されているハードディスクドライブ装置から取得した固有識別情報が、メモリＭ１にターゲットハードディスクドライブ装置の固有識別情報として記録されているか判断する（ステップＳ２１１）。ターゲットハードディスクドライブ装置の固有識別情報として登録されている場合には、マスターハードディスクドライブ装置が接続されるべきインターフェース２１に、ターゲットハードディスクドライブ装置が誤って接続されていることを意味するので、この状態でコピーを実行すると、マスターハードディスクドライブ装置のデータがターゲットハードディスクドライブ装置にコピーされないため、エラー表示し（ステップＳ２０９）、コピー処理は実行されない。エラー表示には、第１のインターフェース２１に接続されたハードディスクドライブ装置が、マスターハードディスクドライブ装置でない旨の指示が表示される。
【００３０】
第１のインターフェース２１に接続されているハードディスクドライブ装置の各固有識別情報が、メモリＭ１にターゲットハードディスクドライブ装置の固有識別情報として登録されていない場合には、第１のインターフェース２１に接続されているハードディスクドライブ装置から取得した固有識別情報が、メモリＭ１にマスターハードディスクドライブ装置の固有識別情報として記録されていないか判断する（ステップＳ２１３）。
【００３１】
記録されていない場合には、第１のインターフェース２１に接続されているハードディスクドライブ装置は、マスターハードディスクドライブ装置としても、ターゲットハードディスクドライブ装置としても登録されていないことを意味するので、そのハードディスクドライブ装置をこのままマスターハードディスクドライブ装置として接続してよいか確認するメッセージが表示手段に表示される（ステップＳ２１５）。マスターハードディスクドライブ装置である確認が取れた場合には、このハードディスクドライブ装置の固有識別情報をマスターハードディスクドライブ装置の固有識別情報として登録する（ステップＳ２１７）。
【００３２】
ステップＳ２１７での登録処理の後、及び、ステップＳ２１３で、第１のインターフェース２１に接続されているハードディスクドライブ装置から取得した固有識別情報が、メモリＭ１にマスターハードディスクドライブ装置の固有識別情報として記録されていると判断した場合には、コピー処理許可される（ステップＳ２１９）。  
また、ステップＳ２１５で、接続されているハードディスクドライブ装置がマスターハードディスクドライブ装置でない確認が取れた場合には、エラー表示され（ステップＳ２０９）、コピー処理は実行されない。
【００３３】
ステップＳ２１９のコピー処理許可によって、コピー処理が開始され（ステップＳ２２１）、マスターハードディスクドライブ装置ＭＨＤＤに記録されているデータが総てのターゲットハードディスクドライブ装置ＴＨＤＤ１〜３にコピーされた後、コピー処理が終了する（ステップＳ２２３）。  
この実施形態では、第１のインターフェース２１に接続されたハードディスクドライブ装置が、マスターハードディスクドライブ装置として登録されている場合で、かつ、第２のインターフェース２２１〜２２３に接続されたハードディスクドライブ装置が総てターゲットハードディスクドライブ装置ＴＨＤＤ１〜３である場合のみ、コピー処理が許可される。
【００３４】
以上説明したステップＳ２０７〜２１７までの処理を図５に示されている表に基づいて説明すると、第１のインターフェース２１にマスターハードディスクドライブ装置として固有識別情報が登録されているハードディスクドライブ装置が接続されていない場合には、原則してコピー処理は許可されない。例外として、第１のインターフェース２１に接続された未登録のハードディスクドライブ装置については、マスターであることが確認できた場合には、コピー処理禁止の原因とはならない。第２のインターフェース２２１〜２２３にターゲットハードディスクドライブ装置として固有識別情報が登録されているハードディスクドライブ装置が接続されていない場合には、コピー処理は許可されない。
【００３５】
以上説明した複写元記憶手段及び複写先記憶手段は、ハードディスクドライブ装置であるが、第１の実施形態については、他の磁気記憶方式の記憶装置や、半導体メモリ、光学記憶装置などであってもよい。第２の実施形態においても、SDカード等の半導体メモリやDVD-R等の光学メディアについて、固有識別情報を予め取得し、複写元記憶手段や複写先記憶手段として用いることができる。
【符号の説明】
【００３６】
１  複写装置
２１  第１のインターフェース
２２１〜２２３  第２のインターフェース
３  コントローラ
３１  バスライン
ＭＨＤＤ  マスターハードディスクドライブ装置
ＴＨＤＤ１〜３  ターゲットハードディスクドライブ装置
【図１】
2014160425.tif 000003
【図２】
2014160425.tif 000004
【図３】
2014160425.tif 000005
【図４】
2014160425.tif 000006
【図５】
2014160425.tif 000007